(57)【要約】【課題】部品点数の削減化を図れ、部品コストや組み立てコストを低減する上で有利で、しかも、小型化を図る上で有利な電子機器を提供する。【解決手段】表示パネル２６が表示パネル収容用凹部５０に収容され、フレキシブル基板２６０６が配線部材用挿通孔５００６から後筐体１６の内部に挿通され、表示パネル２６の背面２６０４が表示パネル収容用凹部５０の底壁５００２に接着剤により取着されている。表示パネル２６の表示面２６０２の周囲に沿って矩形枠状のクッション材５４が配置され、クッション材５４は表示パネル２６と共に表示パネル収容用凹部５０に収容されている。透明板４８が、その四辺が透明板収容用凹部５２に収容されて接着剤により取着されて配設され、クッション材５４が表示面２６０２の周囲と透明板４８とにより圧縮された状態で配設されている。【選択図】図１２
2007140012.tif 000002
【特許請求の範囲】
【請求項１】
筐体と、
前記筐体の表面に臨ませて該筐体に取着された薄板状の表示パネルと、
前記表示パネルの表示面に情報を表示させる表示制御部とを備える電子機器であって、
前記筐体の表面に、前記表示パネルを収容する表示パネル収容用凹部が該筐体と一体に設けられ、
前記表示パネルは前記表示パネル収容用凹部に収容されて配設され、
前記表示パネルの表示面を覆い該表示パネルを保護する透明板が前記筐体に取着されている、
ことを特徴とする電子機器。
【請求項２】
前記表示パネルはその厚さ方向の一方に位置する面が前記表示面で厚さ方向の他方に位置する面が背面となっており、前記表示パネル収容用凹部は底壁を有し、前記表示パネルの背面は前記底壁に接着されていることを特徴とする請求項１記載の電子機器。
【請求項３】
前記表示面の周囲に沿ってクッション材が配置され、前記クッション材は前記表示面の周囲と前記透明板とにより圧縮されていることを特徴とする請求項１記載の電子機器。
【請求項４】
前記表示パネル収容用凹部は底壁と、この底壁の周囲から起立する側壁とで構成され、
前記側壁寄りに位置する前記底壁の箇所に、前記表示パネルと前記表示制御部とを接続する配線部材の挿通孔が設けられていることを特徴とする請求項１記載の電子機器。
【請求項５】
前記筐体の表面で前記表示パネル収容用凹部の周囲に沿って前記透明板の縁部を収容する透明板収容用凹部が形成され、前記透明板はその縁部が前記透明板収容用凹部に収容されて配置されていることを特徴とする請求項１記載の電子機器。
【請求項６】
前記筐体の表面と前記透明板の表面とは同一面上に位置していることを特徴とする請求項５記載の電子機器。
【請求項７】
前記透明板の周囲に、前記透明板収容用凹部の底壁および前記表示パネルの周囲を隠す光を透過させない不透明部が設けられていることを特徴とする請求項１記載の電子機器。
【請求項８】
前記電子機器は撮像装置であり、前記表示パネルには前記撮像装置で撮像された画像が表示されることを特徴とする請求項１記載の電子機器。
【請求項９】
前記電子機器は撮像装置であり、前記筐体は薄板状に形成され、前記筐体の厚さ方向の一方の表面に、被写体像を撮像素子に導く鏡筒が設けられ、前記表示パネルは前記筐体の厚さ方向の他方の表面に設けられ、前記表示パネルには前記撮像装置で撮像された画像が表示されることを特徴とする請求項１記載の電子機器。
【請求項１０】
前記電子機器は撮像装置であり、前記筐体は薄板状に形成され、前記筐体は厚さ方向に分割された前筐体と後筐体とで構成され、前記前筐体の前面に、被写体像を撮像素子に導く鏡筒が設けられ、前記表示パネルは前記後筐体の背面に設けられ、前記表示パネルには前記撮像装置で撮像された画像が表示されることを特徴とする請求項１記載の電子機器。
【請求項１１】
前記筐体は金属製であることを特徴とする請求項１記載の電子機器。
【発明の詳細な説明】
【技術分野】
【０００１】
本発明は電子機器に関し、より詳細には薄板状の表示パネルを有する電子機器に関する。
【背景技術】
【０００２】
例えば、デジタルスチルカメラなどの撮像装置では、筐体は、厚さ方向に分割された前筐体と後筐体とで構成され、前記前筐体の前面に、被写体像を撮像素子に導く鏡筒が設けられ、前記表示パネルは前記後筐体の背面に設けられ、前記表示パネルに撮像装置で撮像された画像が表示されるように構成されている。
そして、表示パネルを配設するに際して、筐体とは別に設けられた板金製のフレームを前筐体の内部に固定するとともに、そのフレームに表示パネルの背面を接着固定し、表示パネルの表示面を後筐体の背面に設けられた開口に臨ませ、同時に、フレームにより表示パネルの表示面の周囲をクッション材を介して後筐体の背面に当て付けている（特許文献１参照）。
【特許文献１】特開２００５-１２３５０２号公報
【発明の開示】
【発明が解決しようとする課題】
【０００３】
しかしながら上述の撮像装置では、フレームやそのフレームを筐体に固定するためのねじなどの部材を筐体内部に設けなくてはならないため、部品点数が多く、部品コストや組み立てコストを低減する上で不利であり、また、筐体内部にフレームや部材を組み込むためのスペースを確保しなくてはならず、小型化を図る上で不利がある。
本発明はこのような事情に鑑みなされたものであり、本発明の目的は、部品点数の削減化を図れ、部品コストや組み立てコストを低減する上で有利で、しかも、小型化を図る上で有利な電子機器を提供することにある。
【課題を解決するための手段】
【０００４】
上述の目的を達成するため、本発明は、筐体と、前記筐体の表面に臨ませて該筐体に取着された薄板状の表示パネルと、前記表示パネルの表示面に情報を表示させる表示制御部とを備える電子機器であって、前記筐体の表面に、前記表示パネルを収容する表示パネル収容用凹部が該筐体と一体に設けられ、前記表示パネルは前記表示パネル収容用凹部に収容されて配設され、前記表示パネルの表示面を覆い該表示パネルを保護する透明板が前記筐体に取着されていることを特徴とする。
【発明の効果】
【０００５】
本発明によれば、表示パネル収容用凹部が筐体に一体に設けられているため、従来のように筐体とは別体の板金製のフレームを要せず、したがって、部品点数の削減化を図れ、部品コストや組み立てコストを低減する上で有利で、しかも、小型化を図る上で有利となる。
【発明を実施するための最良の形態】
【０００６】
（第１の実施の形態）
次に本発明の第１の実施の形態について図面を参照して説明する。
本実施の形態では、電子機器が撮像装置で構成されている場合について説明する。
図１は第１の実施の形態の撮像装置の斜視図、図２は撮像装置の背面図であり、図３は撮像装置の構成を示すブロック図である。
図１に示すように、本実施の形態の撮像装置１０はデジタルスチルカメラであり、外装を構成する筐体１２を有している。
筐体１２は金属製で、前筐体１４と後筐体１６との２つの分割体で構成されている。
筐体１２の前面右側部寄りの箇所には撮影光学系１７を収容保持する沈胴式の鏡筒１８が設けられている。
鏡筒１８は筐体１２の内部に組み込まれた駆動部２０（図３）によって、図１（Ｂ）に示すように、筐体１２の前面から前方に突出した使用位置（広角状態、望遠状態、および広角乃至望遠の中間状態）と、図１（Ａ）に示すように、筐体１２に収容された収容位置（沈胴状態）との間を出没するように構成されている。
筐体１２の上端面にはシャッタボタン２２が設けられ、筐体１２の後面には、図２に示すように、電源のオンオフ、撮影モード、再生モードの切替など種々の操作を行なうための複数の操作スイッチ２４、撮像した映像を表示する表示パネル２６（図２）などが設けられている。
【０００７】
図３に示すように、撮像装置１０は、撮影光学系１７によって結像された被写体像を撮像する鏡筒１８の後端部分に配設されたＣＣＤやＣＭＯＳセンサなどで構成された撮像素子２８、該撮像素子２８から出力された撮像信号に基づいて画像データを生成し、メモリカードなどの記憶媒体３０に記録する画像処理部３２、前記画像データを表示パネル２６に表示させる表示制御部３４、駆動部２０、操作スイッチ２４やシャッタボタン２２の操作に応じて画像処理部３２、表示制御部３４、後述するフラッシュ４０、そのフラッシュ４０を駆動するフラッシュ駆動部３８、駆動部２０やフラッシュ駆動部３８を制御するＣＰＵなどを含む制御部３６などを備えている。
【０００８】
次に、鏡筒１８の概略構成について説明する。
図４は鏡筒１８の状態を説明する斜視図で、（Ａ）が不使用時のレンズ収納状態すなわち沈胴状態、（Ｂ）が広角状態、（Ｃ）が望遠状態を示すものである。図５は沈胴レンズの断面図であり、（Ａ）が沈胴状態、（Ｂ）が広角状態、（Ｃ）が望遠状態を示すものである。図６は鏡筒１８の分解斜視図である。
【０００９】
図４に示すように、鏡筒１８は光学的には３群構成である。すなわち、鏡筒１８の光軸方向で被写体側を前方とし、前記光軸方向で撮像素子２８側を後方としたとき、鏡筒１８を構成する３群は、前方から後方に向かってこの順番で配設された１群、２群、３群によって構成されている。
鏡筒１８は、１群と２群が所定のカムカーブに沿って光軸方向に駆動されることによってズーミングを行い、３群が光軸方向に微小に変位されることによってフォーカッシングを行う。すなわち、１群と２群の変位によって焦点距離を可変し、この焦点距離の変化によって生じた合焦位置のずれを３群の変位によって修正し適切に合焦させるように構成されている。
【００１０】
図４、図５、図６に示すように、１群レンズ枠２は、カム環４のカム溝４ｂに嵌合される３本（複数本）のカムピン２ａと、１群を構成する複数のレンズを挿入・固定する複数のレンズ室２ｂと、収納時、沈胴状態においてレンズ前玉を保護するバリア機構部（不図示）とを備えている。
２群レンズ枠３は、カム環４のカム溝４ｃに嵌合される３本（複数本）のカムピン３ａと、２群を構成する複数のレンズを挿入、固定する複数のレンズ室３ｂとを備えている。また、２群レンズ枠３はアイリス・シャッター機構を構成してもよい。
カム環４は、ギアユニットによって駆動されることによりカム環４を固定環６の内径で回転駆動するためのギア部４ａと、１群レンズ枠２のカムピン２ａが嵌合される３本（複数本）のカム溝４ｂと、２群レンズ枠３のカムピン３ａが嵌合される３本（複数本）のカム溝４ｃと、固定環６のカム溝６ａに嵌合される３本（複数本）のカムピン４ｄとを備えている。
カム溝４ｂおよびカム溝４ｃは、１群および２群を所定のカーブに沿って光軸方向に移動させ、ズーミング動作を行うものである。
直進案内環５は、カム環４と一体的に固定環６の内径で光軸方向に移動する部材で、１群レンズ枠２を光軸方向にガイドする案内溝５ａと、２群レンズ枠３を光軸方向にガイドする案内溝５ｂとを備えている。
固定環６は、ベース８に固定される部材で、カム環４のカムピン４ｄが嵌合される３本（複数本）のカム溝６ａを備えている。
【００１１】
３群レンズ枠７は３群を構成するレンズ７１を挿入・固定するためのレンズ室を備え、３群レンズ枠７とレンズ７１によって可動レンズ７２が構成されている。
可動レンズ７２は、ベース８に立設された２本のガイド軸８ａにガイドされることでベース８に対して光軸方向に移動可能に保持され、モータや雄ねじからなる駆動機構１５によって光軸方向に微小に変位されるように構成されている。
ベース８には、固定環６、ギアユニット（不図示）が位置決め・固定される。
ベース８は、光学式ローパスカットフィルタや赤外カットフィルタなどの光学フィルタ９ａを挿入・位置決め・固定するための凹部と、鏡筒内部へのゴミなどの侵入を防止し、光学フィルタ９ａを弾性付勢するためのシールゴム９ｂを挿入するための凹部とを備えている。
ベース８には撮像素子２８が高精度に位置決め・固定される。
【００１２】
前記ギアユニットは、カム環４をギア部４ａによって駆動するものである。ギア比は、沈胴→広角→望遠および望遠→広角→沈胴の範囲において十分な駆動力を得られるように決められる。ギアユニットは、カム環４を駆動することにより、この沈胴レンズのズーミング動作を行う。
【００１３】
また、本例においては、１群レンズ枠２、２群レンズ枠３、３群レンズ枠７に保持された前記複数のレンズによって撮影光学系１７が構成されている。
また、本例において、１群レンズ枠２、２群レンズ枠３、カム環４、直進案内環５、固定環６、３群レンズ枠７、ベース８は、例えばガラス繊維を含有するポリカーボネート樹脂（黒色）などの繊維強化プラスチックで成形され、強度・遮光性と量産性を備えている。
【００１４】
次に、カム環４によるレンズの動作について説明する。
沈胴状態〜広角間の動作において、カム環４はギア部４ａがギアユニットによって駆動力を与えられることにより駆動されて、カムピン４ｄが固定環６のカム溝６ａに沿って回転しながら光軸方向に被写体側に向けて移動する。このとき、直進案内環５はカム環４と一体的に移動する（図５中矢印Ａ参照）。
このとき、１群レンズ枠２はカムピン２ａがカム溝４ｂおよび案内溝５ａに沿って所定のカーブによって移動する（図５中矢印Ｂ参照）。このとき、２群レンズ枠３はカムピン３ａがカム溝４ｃおよび案内溝５ｂに沿って所定のカーブによって移動する（図５中矢印Ｃ参照）。以上により、１群および２群は所定の位置に移動し、光学的に広角の位置になる。
【００１５】
広角〜望遠間の動作においても、カム環４はギア部４ａがギアユニットによって駆動力を与えられることにより駆動されるが、この範囲においてカム溝６ａはカム環４が光軸方向に駆動しないように形成されており、直進案内環５も光軸方向に移動しない（図５中矢印Ｄ参照）。
このとき、１群レンズ枠２はカムピン２ａがカム溝４ｂおよび案内溝５ａに沿って所定のカーブによって移動する（図５中矢印Ｅ参照）。このとき、２群レンズ枠３はカムピン３ａがカム溝４ｃおよび案内溝５ｂに沿って所定のカーブによって移動する（図５中矢印Ｆ参照）。以上により、１群および２群は所定のカーブに沿って移動し、光学的に広角〜望遠間を移動することによってズーミング動作を行う。
【００１６】
望遠→広角→沈胴状態については、ギアユニットを上記動作と反対向きに駆動することでカム環４を反対向きに回転させることによって行う。上記のギアユニットによるカム環４の駆動によって鏡筒１８は沈胴動作およびズーミング動作を行うが、これとは別に駆動機構１５によって可動レンズ７２が光軸方向に微小に変位することによりフォーカッシング動作を行う（図５中矢印Ｇ参照）。
【００１７】
そして、図１（Ｂ）に示すように、鏡筒１８の使用位置で、筐体１２の前面から前方に突出した鏡筒１８の箇所に、被写体に補助光を照射するフラッシュ４０が設けられている。
このような箇所にフラッシュ４０を設けると次のような効果が奏される。
すなわち、フラッシュ４０が筐体１２の前面に設けられている場合に比べて、フラッシュ４０から照射される光束の一部が鏡筒１８の部分によって遮られることがなく、広い範囲にわたってフラッシュ４０の光を万遍なく照射する上で有利となる。
また、フラッシュ４０が鏡筒１８の前端を構成する１群レンズ枠２の前端面に設けられていることから、撮影光学系１７の光軸に対してフラッシュ４０の光束を近接させることができるため、被写体の後方に壁や物体があった場合、撮影光学系１７によって撮影する画像において、フラッシュ４０の照明によって発生する被写体後方の壁や物体に生じる被写体の影を目立たなくする上で有利となる。
特に本例のように、鏡筒１８の前端を構成する１群レンズ枠２の前端面にフラッシュ４０を設けると、撮影時にユーザーの指によりフラッシュ４０が隠されるなどの不具合が解消され、フラッシュ４０を用いた撮影を確実に行う上で有利となる。
【００１８】
なお、フラッシュ４０は、上述のような固定式ではなく、図７に示すように、ポップアップ式で配設してもよい。
図７（Ａ）、（Ｂ）はポップアップ式のフラッシュ４０の説明図である。
すなわち、鏡筒１８の使用位置で、筐体１２の前面から前方に突出した鏡筒１８の箇所である第１レンズ枠２の基部上部に、倒伏可能なケース４２が設けられ、このケース４２の先端にフラッシュ４０が設けられている。
第１レンズ枠２の基部上部にケース４２の下端に係合する凹状の係合部２０２が設けられ、ケース４２の基部の上部には係合部２０２に係合可能な湾曲状のガイド面４２０２が設けられ、ケース４２を起立する方向に常時付勢する付勢手段が設けられている。
そして、鏡筒１８の使用位置で、ケース４２の前半部が露出されると、付勢手段の付勢力によりケース４２が起立してフラッシュ４０が撮像装置１０の前方に向けられ、このときのケース４２の起立位置は、係合部２０２にガイド面４２０２が係合することで決定されている。
また、鏡筒１８の収容位置では、ケース４２はカム環４により倒され、第１レンズ枠２と固定環６との間に収容されるように構成されている。
このようなポップアップ式のフラッシュ４０を、鏡筒１８の使用位置で筐体１２の前面から前方に突出した鏡筒１８の箇所に設けても、フラッシュ４０から照射される光束の一部が鏡筒１８の部分によって遮られにくくフラッシュ４０の光を万遍なく照射する上で有利であり、撮影光学系１７の光軸に対してフラッシュ４０の光束を近接させやすいので、被写体後方の壁や物体に生じる被写体の影を目立たなくする上で有利であり、また、撮影時にユーザーの指によりフラッシュ４０が隠されるなどの不具合を解消する上でも有利となる。
【００１９】
次に、表示パネル２６について説明する。
図８は後筐体１６部分の分解斜視図、図９（Ａ）は後筐体１６を後方から見た斜視図、（Ｂ）は後筐体１６を前方から見た斜視図、図１０は（Ａ）は後筐体１６に表示パネル２６などが組み込まれた状態を後方から見た斜視図、（Ｂ）は後筐体１６に表示パネル２６などが組み込まれた状態を前方から見た斜視図、図１１は図１０（Ａ）のＡＡ線断面図、図１２は図１１の拡大図である。
図８、図１１、図１２に示すように、表示パネル２６は、後筐体１６の背面１６０２の表示パネル収容用凹部５０に透明板４８およびクッション材５４を用いて取り付けられている。
図８に示すように、表示パネル２６は矩形の薄板状に形成されている。
表示パネル２６は、液晶パネルであってもよく、有機ＥＬパネルであってもよく、様々な方式のパネルが採用可能である。
表示パネル２６の厚さ方向の一方の面は表示面２６０２として形成され、他方の面は背面２６０４として形成されている。
背面２６０４の端部からは、表示パネル２６と表示制御部３４とを接続する配線部材（フレキシブル基板）２６０６が突出している。
なお、図１２において符号２６１０は液晶本体を示し、符号２６１２はバックライトを示している。
【００２０】
図８に示すように、透明板４８は、表示パネル２６を覆えるように、表示パネル２６よりも大きい輪郭の矩形で形成されている。
透明板４８は、透明な合成樹脂材料で形成され、図８に示すように、透明板４８の内面の外縁部は、例えば黒色などの不透明な塗料が塗布されて枠状の不透明部４８０２が形成されている。
【００２１】
一方、図８、図９（Ａ）、図１２に示すように、後筐体１６の背面１６０２に、表示パネル２６を収容する矩形状の表示パネル収容用凹部５０が後筐体１６と一体に設けられている。
表示パネル収容用凹部５０は底壁５００２と、この底壁５００２の四辺から起立する側壁５００４とで構成されている。
底壁５００２の四隅のうちの１箇所の隅部近傍には、配線部材用挿通孔５００６が底壁５００２の四辺のうちの一辺に沿って延在形成されている。
また、後筐体１６の背面で表示パネル収容用凹部５０の周囲に沿って透明板４８の縁部を収容する透明板収容用凹部５２が枠状に形成されている。
【００２２】
表示パネル２６は次のように取り付けられている。
すなわち、表示パネル２６が表示パネル収容用凹部５０に収容され、フレキシブル基板２６０６が配線部材用挿通孔５００６から後筐体１６の内部に挿通され、表示パネル２６の背面２６０４が表示パネル収容用凹部５０の底壁５００２に接着剤により取着されている。
表示パネル２６の表示面２６０２の周囲に沿って（四辺に沿って）矩形枠状のクッション材５４が配置され、クッション材５４は表示パネル２６と共に表示パネル収容用凹部５０に収容されている。
そして、透明板４８が、その四辺が透明板収容用凹部５２に収容されて接着剤により取着されて配設され、クッション材５４が表示面２６０２の周囲と透明板４８とにより圧縮された状態で配設されている。
すなわち、透明板４８は、表示パネル２６の表示面２６０２を覆い該表示パネル２６を保護しており、本実施の形態では、図１２に示すように、後筐体１６の背面１６０２と透明板４８の表面４８０２とは同一面上に位置しており、不透明部４８０２は、透明板収容用凹部５２の底壁５２０２および表示パネル２６の周囲を隠す輪郭の矩形枠状に形成されている。
【００２３】
本実施の形態によれば、表示パネル収容用凹部５０が筐体１２に一体に設けられているため、従来のように筐体とは別体の板金製のフレームやフレームを筐体に取り付けるためのねじなどの部品を要せず、したがって、部品点数の削減化を図れ、部品コストや組み立てコストを低減する上で有利で、しかも、小型化を図る上で有利となる。
また、従来のように筐体とは別体の板金製のフレームを用いずに、筐体１２に一体に設けられた表示パネル収容用凹部５０に表示パネル２６を収容して配設するようにしたので、表示パネル２６を従来に比べて強固に保持でき、表示パネル２６の耐久性を高める上で有利となる。
また、表示パネル収容用凹部５０の外側に連続して透明板収容用凹部５２が設けられているので、表示パネル２６の表示パネル収容用凹部５０への組み付けと、透明板４８の透明板収容用凹部５２への組み付け同一の方向から簡単になされ、組み立てコストを低減する上で有利となる。
【００２４】
なお、図１３に示すように、表示パネル２６と表示制御部３４とを接続する配線部材２６０６の挿通部５０１０を表示パネル収容用凹部５０の底壁５００２の中央に設けるようにしてもよい。
この場合の挿通部５０１０は、底壁５００２の中央を上下に延在する縦溝部５０１２と、縦溝部５０１２の上下方向の中間部の縁部に設けられた切り欠き５０１４とで構成されている。
このような挿通部５０１０によれば、表示パネル２６の背面２６０４の四隅を底壁５００２で保持できる点で有利であり、上記の実施の形態の配線部材用挿通孔５００６によれば、表示パネル２６の背面２６０４を保持する底壁５００２の面積を確保し、底壁５００２による表示パネル２６の保持強度を確保する上で有利となる。
【００２５】
なお、本実施の形態では、表示パネル２６を表示パネル収容用凹部５０に取り付けるに際して接着剤を用いる場合について説明したが、表示パネル２６の取り付けは接着に限定されるものではなく、従来公知の様々な取り付け構造を採用可能であり、例えば、表示パネル２６の外縁面に設けた複数の係合片を、表示パネル収容用凹部５０の側壁５００４に設けた係合孔に係合させることで表示パネル２６を表示パネル収容用凹部５０に取り付けてもよい。
また、表示パネル収容用凹部５０に対する表示パネル２６の位置決めは、例えば、表示パネル収容用凹部５０の４つの側壁５００４のうち、隣り合う２つの側壁に位置決め用の凸部を膨出形成し、表示パネル２６の外縁面をそれら位置決め用の凸部に当て付けることで位置決めを行ってもよい。
また、本実施の形態では、電子機器として撮像装置であるデジタルスチルカメラを用いて説明したが、本発明は、ビデオカメラ、その他種々の撮像装置であってもよく、あるいは、筐体に表示パネルを備えるＰＤＡ（パーソナルデジタルアシスタント）やノートパソコンなどの電子機器に広く適用可能である。
【図面の簡単な説明】
【００２６】
【図１】第１の実施の形態の撮像装置の斜視図である。
【図２】撮像装置の背面図である。
【図３】撮像装置の構成を示すブロック図である。
【図４】鏡筒１８の状態を説明する斜視図で、（Ａ）が不使用時のレンズ収納状態すなわち沈胴状態、（Ｂ）が広角状態、（Ｃ）が望遠状態を示すものである。
【図５】沈胴レンズの断面図であり、（Ａ）が沈胴状態、（Ｂ）が広角状態、（Ｃ）が望遠状態を示すものである。
【図６】鏡筒１８の分解斜視図である。
【図７】（Ａ）、（Ｂ）はポップアップ式のフラッシュ４０の説明図である。
【図８】後筐体１６部分の分解斜視図である。
【図９】（Ａ）は後筐体１６を後方から見た斜視図、（Ｂ）は後筐体１６を前方から見た斜視図である。
【図１０】（Ａ）は後筐体１６に表示パネル２６などが組み込まれた状態を後方から見た斜視図、（Ｂ）は後筐体１６に表示パネル２６などが組み込まれた状態を前方から見た斜視図である。
【図１１】図１０（Ａ）のＡＡ線断面図である。
【図１２】図１１の拡大図である。
【図１３】後筐体１６の変形例を示す背面図である。
【符号の説明】
【００２７】
１０……撮像装置、１２……筐体、２６……表示パネル、２６０２……表示面、３４……表示制御部、４８……透明板、５０……表示パネル収容用凹部。
【図１】
2007140012.tif 000003
【図２】
2007140012.tif 000004
【図３】
2007140012.tif 000005
【図４】
2007140012.tif 000006
【図５】
2007140012.tif 000007
【図６】
2007140012.tif 000008
【図７】
2007140012.tif 000009
【図８】
2007140012.tif 000010
【図９】
2007140012.tif 000011
【図１０】
2007140012.tif 000012
【図１１】
2007140012.tif 000013
【図１２】
2007140012.tif 000014
【図１３】
2007140012.tif 000015